【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記第１電極に導電接続された第１配線と、前記第２電極に導電接続された第２配線とが設けられ、
前記第１配線が、前記入力端子列側から前記第１電極の傍らを経て前記第２電極の傍らまで達した後に逆方向に戻って前記第１電極に達する迂回パターンに形成されていることを特徴とする液晶表示装置。
【請求項２】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記第１電極に導電接続された第１配線と、前記第２電極に導電接続された第２配線とが設けられ、
前記入力端子列側に、複数の前記第１電極が前記入力端子列から離れる方向に連設されてなる第１電極群が設けられ、
該第１電極群の前記入力端子とは反対側に、複数の前記第２電極が前記入力端子列から離れる方向に連設されてなる第２電極群が設けられ、
前記第１配線は、前記第１電極群の傍らを経て前記第２電極群の傍らまで達した後に逆方向に戻って前記第１電極群内の前記第１電極に達する迂回パターンに形成されていることを特徴とする液晶表示装置。
【請求項３】
一方の前記基板上において、前記第１電極群の傍らにある側方領域が相互に適宜の間隔で並列した複数の前記第１配線によってほぼ均等に埋め尽くされていることを特徴とする請求項２に記載の液晶表示装置。
【請求項４】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子を含む入力端子列とを有する液晶表示装置であって、
前記２枚の基板に設けられた前記複数の電極同士が相互に対向してなる液晶駆動領域を有し、
前記２枚の基板のうち、一方の前記基板上における前記電極として、第１電極と、該第１電極よりも前記入力端子列から離れた位置に形成された第２電極とが設けられ、
前記配線として、前記液晶駆動領域の一側から前記第１電極に導電接続された第１配線と、前記液晶駆動領域の他側から前記第２電極に導電接続された第２配線とが設けられ、
前記第１配線が、前記入力端子列側から前記第１電極の傍らを通過した後に逆方向に戻って前記第１電極に達する迂回パターンに形成されていることを特徴とする液晶表示装置。
【請求項５】
前記迂回パターンは、前記入力端子列側から前記第１電極の傍らを経て前記第２電極の傍らまで達した後に逆方向に戻って前記第１電極に達するように形成されていることを特徴とする請求項４に記載の液晶表示装置。
【請求項６】
前記第１電極及び前記第１配線、並びに、前記第２電極及び前記第２配線がそれぞれ複数組ずつ適宜の間隔で連設されていることを特徴とする請求項１、請求項４又は請求項５に記載の液晶表示装置。
【請求項７】
前記２枚の基板のうち、他方の前記基板上における前記電極として、前記入力端子列の配列方向に沿って配列された接続端部を有する複数の第３電極が設けられ、
前記配線として、前記第３電極の前記接続端部に導電接続された第３配線が設けられ、
前記複数の第３配線のうち少なくとも一つが、前記入力端子列の配列方向に沿って伸びた後に屈曲して前記第３電極の前記接続端部に達する迂回パターンに形成されていることを特徴とする請求項１乃至請求項５のいずれか１項に記載の液晶表示装置。
【請求項８】
導電接続された複数の配線及び該配線にそれぞれ導電接続された複数の電極を備えた電極パターンを内面上にそれぞれ有する２枚の基板と、該基板間に配置された液晶と、前記配線に導電接続された複数の入力端子とを有する液晶表示装置であって、
前記２枚の基板に設けられた前記複数の電極同士が相互に対向してなる液晶駆動領域を有し、
前記２枚の基板のうち、一方の前記基板上における前記電極として、前記入力端子列の配列方向に沿って配列された接続端部を有する複数の第１電極が設けられ、
前記配線として、前記第１電極の前記接続端部に導電接続された第１配線が設けられ、
前記複数の第１配線のうち少なくとも一つが、前記入力端子列の配列方向に沿って伸びた後に屈曲して前記第１電極の前記接続端部に達する迂回パターンに形成されていることを特徴とする液晶表示装置。
【請求項９】
導電接続された複数の配線及び該配線にそれぞれ導電接続された複数の電極とを備えた電極パターンを内面上にそれぞれ有する２枚の基板と、該基板間に配置された液晶と、前記配線に導電接続された複数の入力端子とを有する液晶表示装置であって、
前記２枚の基板に設けられた前記複数の電極同士が相互に対向してなる液晶駆動領域を有し、
前記２枚の基板のうち、少なくとも一方の前記基板上における前記電極として、前記入力端子列の配列方向に沿って配列された接続端部を有する複数の第１電極が設けられ、
前記配線として、前記第１電極の前記接続端部に導電接続された第１配線が設けられ、
前記液晶駆動領域の前記入力端子列側にある側方領域が、適宜の間隔で並列した複数の前記第１配線によってほぼ均等に埋め尽くされていることを特徴とする液晶表示装置。
【請求項１０】
前記入力端子に接続された駆動用半導体回路が設けられていることを特徴とする請求項１乃至請求項９のいずれか１項に記載の液晶表示装置。
【請求項１１】
一対の基板上にそれぞれ電極が設けられ、前記電極が互いに対向して配置され、一方の前記基板上に、前記電極に接続される配線及び前記配線に接続される入力端子を有してなる液晶表示装置において、
前記電極は、第１電極と、前記第１電極よりも前記入力端子から離れた位置に形成された第２電極とを有しており、
前記配線は、前記第１電極に接続された第１配線と、前記第２電極に接続された第２配線とを有しており、
前記第１配線が、前記入力端子側から前記第１電極の傍らを経て前記第２電極の傍らまで達した後に逆方向に戻って前記第１電極に接続される迂回パターンに形成されていることを特徴とする液晶表示装置。
【請求項１２】
前記第１電極及び前記第２電極を備えた前記基板上の全ての前記電極の一側の端部に前記配線が導電接続されていることを特徴とする請求項１１に記載の液晶表示装置。
【請求項１３】
一対の基板上にそれぞれ複数の電極が設けられ、前記電極が互いに対向して配置され、一方の前記基板上に、前記電極に接続される複数の配線及び前記配線に接続される複数の入力端子を有してなる液晶表示装置において、
前記電極は、複数の電極を有する第１電極群および第２電極群を有し、
前記第２電極群は、前記第１電極群よりも前記入力端子から離れた位置に形成され、
前記配線は、前記第１電極群に接続された第１配線群と、前記第２電極群に接続された第２配線群とを有しており、
前記第１配線群が、前記入力端子側から前記第１電極群の傍らを経て前記第２電極群の傍らまで達した後に逆方向に戻って前記第１電極群に接続される迂回パターンに形成されていることを特徴とする液晶表示装置。
【請求項１４】
前記第１配線群は前記第１電極群の一側の端部から引き出され、前記第２配線群は前記第２電極群の他側の端部から引き出されるように構成されていることを特徴とする請求項１２に記載の液晶表示装置。
【請求項１５】
一対の基板上にそれぞれ電極が設けられ、前記電極が互いに対向して配置され、入力端子及び前記電極に接続され該入力端子に向けて伸びる配線を有してなる液晶表示装置において、
いずれかの前記基板上において、前記配線は、前記入力端子側から前記電極に向かう途中で、一旦前記入力端子側に戻ってから再び前記電極に向かう迂回パターンに形成されていることを特徴とする液晶表示装置。